(57)【要約】【課題】  施工中に、バルブの２次圧低下が生じたり、制御弁閉止が生じたりした場合でも、盤面に表示されている情報のうちで、見たい情報を見るための操作が簡素である消火システム制御盤を提供することを目的とするものである。【解決手段】  消火システム制御盤の盤内に、「２次圧低下未監視」設定や「制御弁閉止未監視」設定のためのＤＩＰスイッチ等を設け、消火システム制御盤の電源立ち上げ時に、上記設定を読み込み、２次圧低下や制御弁閉止を、「未監視」状態にする消火システム制御盤である。【選択図】  図１
2006280641.tif 000002
【特許請求の範囲】
【請求項１】
消火システム制御盤の盤内に設けられている設定手段であって、特定のバルブの２次圧の低下を監視対象から外すように設定する２次圧低下未監視設定手段と； 
上記消火システム制御盤の電源立ち上げ時に、上記２次圧低下未監視設定手段から、上記２次圧低下未監視設定を読み込む設定読込手段と；
上記２次圧低下未監視設定手段から、上記２次圧低下未監視設定を読み込むと、２次圧低下を、監視対象から外して制御する制御手段と；
を有することを特徴とする消火システム制御盤。
【請求項２】
請求項１において、
上記２次圧低下未監視設定手段は、ＤＩＰスイッチであることを特徴とする消火システム制御盤。
【請求項３】
消火システム制御盤の盤内に設けられている設定手段であって、制御弁閉止を監視対象から外すように設定する制御弁閉止未監視設定手段と； 
上記消火システム制御盤の電源立ち上げ時に、上記制御弁閉止未監視設定手段から、上記制御弁閉止未監視設定を読み込む設定読込手段と；
上記制御弁閉止未監視設定手段から、上記制御弁閉止未監視設定を読み込むと、制御弁閉止を、監視対象から外して制御する制御手段と；
を有することを特徴とする消火システム制御盤。
【請求項４】
請求項３において、
上記制御弁閉止未監視設定手段は、ＤＩＰスイッチであることを特徴とする消火システム制御盤。
【発明の詳細な説明】
【技術分野】
【０００１】
本発明は、消火システム制御盤に関する。
【背景技術】
【０００２】
従来の消火システム、たとえば閉鎖式スプリンクラ消火システムにおいて、通常監視状態の場合、元栓である制御弁は常時開放し、その２次側にあるスプリンクラバルブが閉止している。火災時に火災感知器が作動すると、消火システム制御盤は、この作動信号を受信し、上記スプリンクラバルブを開放させ、消火準備状態に入る。火災の進行に連れスプリンクラヘッドが動作（開放）すると、消火水がスプリンクラから噴出し、消火する。
【０００３】
その鎮火後に、消火システム制御盤は、上記スプリンクラバルブを閉鎖し、さらに現場の水損による二次災害を低減するために、上記スプリンクラバルブのバイパス弁であるテスト弁を開放させ、配管内の残水を排水する。
【０００４】
この場合、上記スプリンクラバルブの２次圧が低下しているので、消火システム制御盤の盤面に、２次圧低下とテスト弁起動とを表示する。
【０００５】
また、上記制御弁は、通常開放しているが、何らかの原因で閉止されると、消火システム制御盤の盤面に制御弁閉を表示し、非常状態を表す（たとえば、特許文献１参照）。
【０００６】
なお、スプリンクラヘッドだけが動作したことによる消火システムの誤放水を防止するために、スプリンクラヘッドだけが動作すると、テスト弁を起動し、そこから配管の水を排出し、上記スプリンクラヘッドからの放水を抑える。火災感知器から火災信号を受けると、テスト弁を閉止する。
【特許文献１】特開平８−０５９８７６号公報
【発明の開示】
【発明が解決しようとする課題】
【０００７】
消火システムの施工中は、工事進捗によって、一部のスプリンクラヘッドが取り付けられていない場合があり、この場合、２次圧低下の状態になったままであるので、制御盤の盤面に、２次圧低下を表示している。そのときには、スプリンクラの制御弁（元栓）を閉にして作業を行うことが多い。
【０００８】
スプリンクラヘッドが取り付けられている状態や制御弁が閉状態では、上記スプリンクラバルブの２次側に圧力が印加されないので、システムを監視状態としても２次圧が上昇せず、この２次圧低下を制御盤が受信すると、スプリンクラヘッドだけが開放したことを認識し、テスト弁を開放制御する。これによって、制御盤の盤面に、制御弁閉、２次圧低下、テスト弁起動の全てを表示する。
【０００９】
図４は、従来の消火システム制御盤の動作を示すフローチャートである。
【００１０】
まず、消火システムの電源を投入すると（Ｓ１）、通常監視状態に入り（Ｓ２）、この通常監視状態において、スプリンクラバルブの２次圧の低下をチェックし（Ｓ３）、２次圧が所定レベルよりも低下していれば、ＬＣＤ表示または音響鳴動し（Ｓ４）、バルブの２次圧の異常を知らせる。２次圧が所定レベルよりも低下していなければ（Ｓ３）、制御弁の閉止をチェックし（Ｓ５）、制御弁が閉止されていれば、ＬＣＤ表示または音響鳴動し（Ｓ４）、制御弁の異常を知らせる。
【００１１】
図５は、従来例において、２次圧が低下しているときにおける制御盤の表示画面例を示す図である。
【００１２】
従来例において、２次圧が低下すると、ＮＳＶ（スプリンクラバルブ）の２次圧が低下したことを示す「ＮＳＶ２次圧  低下」を表示し、その低下している区画「１階−Ａ区画」を表示し、当該区画を示す番号「００８−１」を表示し、また、これと同時に、次のスプリンクラバルブＮＳＶの異常を、消火システム制御盤に表示する（つまり、「ＮＳＶ２次圧  低下」、「１階−Ｂ区画」、「０１０−１」を消火システム制御盤に表示する）。
【００１３】
消火システム制御盤には、スクロールキーが設けられ、このスクロールキーが押されると、表示内容が１つづつ、スクロールされ、つまり、「ＮＳＶ２次圧  低下」と「１階−Ａ区画」と「００８−１」とが消え、「ＮＳＶ２次圧  低下」と「１階−Ｂ区画」と「０１０−１」とが残り、新たな２次圧低下の区画が表示される。そして、何回か、スクロールキーを押し、２次圧低下の区画が全て表示されると、この段階で、やっと、見たい表示、たとえば、ＮＳＶ起動弁が起動していることを示す「ＮＳＶ起動弁  起動」と「１０階−Ｋ区画」と「０２８−１」とが表示される。すなわち、上記従来例においては、「ＮＳＶ２次圧低下」が、たとえば、３０件発生している場合、スクロールキーを最大２９回押す必要があり、このスクロールキー操作が煩雑である。
【００１４】
つまり、従来の消火システム制御盤では、小さな１つの盤面に、多くの情報をスクロールして表示するので、本来異常状態ではない２次圧低下等の施工時の状態が「異常」であると判断され、２次圧低下状態以外の状態等、見たい情報が存在していても、まず、２次圧低下が表示されるので、狭い表示スペースでは、２次圧低下以外の見たい情報を見るための操作が煩雑であるという問題がある。
【００１５】
すなわち、従来の消火システム制御盤では、施工中に２次圧低下や制御弁閉止が生じると、盤面に表示されている情報のうちで、見たい情報を見るための操作が煩雑であるという問題がある。
【００１６】
本発明は、施工中に２次圧低下や制御弁閉止が生じても、盤面に表示されている情報のうち、見たい情報を見るための操作が簡素である消火システム制御盤を提供することを目的とするものである。
【課題を解決するための手段】
【００１７】
本発明は、消火システム制御盤の盤内に、「２次圧低下未監視」設定や「制御弁閉止未監視」設定のＤＩＰスイッチを設け、制御盤の電源立ち上げ時に、上記設定を読み込み、２次圧低下や制御弁閉止を、「未監視」状態にする消火システム制御盤である。
【発明の効果】
【００１８】
請求項１、２記載の発明によれば、消火システム制御盤の盤内に、「２次圧低下未監視」設定のＤＩＰスイッチを設け、制御盤の電源の立ち上げ時にこの設定を読み込み、２次圧低下を未監視の状態にするので、施工中に２次圧低下が生じても、盤面に表示されている情報のうち、見たい情報を見るための操作が簡素であるという効果を奏する。
【００１９】
請求項３、４記載の発明によれば、消火システム制御盤の盤内に、「制御弁閉止未監視」設定のＤＩＰスイッチを設け、制御盤の電源の立ち上げ時にこの設定を読み込み、制御弁閉止を未監視の状態にするので、施工中に制御弁閉止が生じても、盤面に表示されている情報のうち、見たい情報を見るための操作が簡素であるという効果を奏する。
【発明を実施するための最良の形態】
【００２０】
発明を実施するための最良の形態は、以下の実施例である。
【実施例１】
【００２１】
図１は、本発明の実施例１である消火システム制御盤１０が使用されている消火システム１００を示す図である。なお、消火システム１００は、いわゆる流水予作動スプリンクラシステムの場合におけるシステムである。
【００２２】
消火システム１００は、防災センタＣＴ１と、中継器Ｃ１、Ｃ２、Ｃ３、Ｃ４と、火災感知器ＳＥ１と、加圧送水装置２０と、予作動式の流水検知装置（スプリンクラバルブ）Ｂ１と、テスト弁Ｂ２と、制御弁Ｂ３と、閉鎖型スプリンクラヘッドＳＨ１と、感熱開放継手ＣＮ１と、開放型スプリンクラヘッドＳＨ２と、補助放水栓ＳＣ１とを有する。
【００２３】
防災センタＣＴ１は、消火システム制御盤１０と、火災受信機ＲＥとを有する。
【００２４】
ここで、流水検知装置Ｂ１とテスト弁Ｂ２とは、一体的にユニット化されて設置され、流水検知装置Ｂ１が設けられている配管を止水するために、流水検知装置Ｂ１の１次側に、制御弁Ｂ３が配置されている。
【００２５】
この消火システム１００の通常の消火動作を簡単に説明すると、火災の発生時に、まず火災感知器ＳＥ１が作動し、中継器Ｃ１を介して、火災受信機ＲＥに火災信号を送信し、火災信号を受けた火災受信機ＲＥは、消火システム制御盤１０にその信号を移報し、移報を受けた消火システム制御盤１０は、中継器Ｃ３を介して、流水検知装置Ｂ１に開弁信号を送信する。この開弁信号によって、流水検知装置Ｂ１が開弁状態になり、閉鎖型スプリンクラヘッドＳＨ１が火災の熱によって開放したときに、消火水の継続的放水が行われる。このように、消火システム１００は、火災感知器ＳＥ１の作動と閉鎖型スプリンクラヘッドＳＨ１の作動とによって、消火活動が可能な予作動式のシステムである。
【００２６】
消火システム制御盤１０は、２次圧低下未監視設定手段と、設定読込手段と、制御手段とを有する。
【００２７】
上記２次圧低下未監視設定手段は、消火システム制御盤１０の盤内に設けられている設定手段であって、特定のバルブの２次圧の低下を監視対象から外すように設定する手段であり、実際には、ＤＩＰスイッチによって構成され、または、盤面操作によって上記２次圧低下未監視を設定するようにしてもよい。
【００２８】
上記設定読込手段は、消火システム制御盤１０の電源立ち上げ時に、上記２次圧低下未監視設定手段（ＤＩＰスイッチ）から、上記２次圧低下未監視設定を読み込む手段である。
【００２９】
上記制御手段は、上記２次圧低下未監視設定手段から、上記２次圧低下未監視設定を読み込むと、２次圧低下を、監視対象から外して制御する手段である。
【００３０】
なお、２次圧低下とは、流水検知装置Ｂ１の２次側配管の圧力（２次圧）が低下することであり、この２次圧が所定圧よりも低下しているかどうかを監視し、詳細に示さないが、流水検知装置Ｂ１には、２次圧を監視する圧力スイッチがユニット化され、２次圧低下信号を出力するように構成されている。この２次圧低下信号は、中継器Ｃ３を介して、消火システム制御盤１０に送信される。
【００３１】
また、消火システム制御盤１０は、２次圧低下未監視設定手段と設定読込手段と制御手段との組の他に、制御弁閉止未監視設定手段と第２の設定読込手段と第２の制御手段との組を有する。
【００３２】
上記制御弁閉止未監視設定手段は、消火システム制御盤１０の盤内に設けられている設定手段であって、制御弁閉止を監視対象から外すように設定する手段であり、実際には、ＤＩＰスイッチで構成され、または、盤面操作によって上記制御弁閉止未監視を設定するようにしてもよい。
【００３３】
上記第２の設定読込手段は、上記消火システム制御盤の電源立ち上げ時に、上記制御弁閉止未監視設定手段から、上記制御弁閉止未監視設定を読み込む手段である。
【００３４】
上記第２の制御手段は、上記制御弁閉止未監視設定手段から、上記制御弁閉止未監視設定を読み込むと、制御弁閉止を、監視対象から外して制御する手段である。
【００３５】
なお、制御弁閉止とは、流水検知装置Ｂ１の１次側に設置されている制御弁Ｂ３が閉状態であることであり、制御弁Ｂ３が開状態であるか閉状態であるかを監視し、詳細に示さないが、制御弁Ｂ３には、閉弁状態を検出するリミットスイッチが設置され、制御弁閉止信号を出力するように構成されている。この制御弁閉止信号は、中継器Ｃ３を介して、消火システム制御盤１０に送信される。
【００３６】
なお、消火システム制御盤１０は、２次圧低下未監視設定手段と設定読込手段と制御手段との組、制御弁閉止未監視設定手段と第２の設定読込手段と第２の制御手段との組のうちの、一方の組を有する制御盤であってもよい。
【００３７】
加圧送水装置２０は、起動用水圧開閉装置２１と、ポンプ制御盤２２と、加圧送水装置（ポンプ）Ｐ１と、制御弁Ｂ４とを有する。
【００３８】
次に、実施例１の動作について、説明する。
【００３９】
図２は、実施例１の動作を示すフローチャートである。
【００４０】
まず、消火システム制御盤１０の盤内に、流水検知装置Ｂ１の２次圧の低下を監視の対象外に設定する２次圧低下未監視設定手段が予め設けられ、この２次圧低下未監視設定手段は、たとえばＤＩＰスイッチである。このＤＩＰスイッチを使用して、２次圧低下未監視モードを設定する（Ｓ１１）。
【００４１】
そして、消火システムの電源を投入すると（Ｓ１）、上記ＤＩＰスイッチから、上記２次圧低下未監視設定の情報を読み込む（Ｓ１２）。
【００４２】
その後に、通常監視状態に入り（Ｓ２）、この通常監視状態において、流水検知装置Ｂ１の２次圧の低下をチェックし（Ｓ３）、図示しない２次圧監視用圧力スイッチによる２次圧低下信号の有無に応じて、２次圧が所定レベルよりも低下していると判断すれば、２次圧低下未監視モードが設定されているかどうかを調べ（Ｓ１３）、２次圧低下未監視モードが設定されていれば、２次圧が所定レベルよりも低下しても、ＬＣＤ表示をせず、また、音響鳴動もせずに、Ｓ３に戻る。
【００４３】
２次圧が所定レベルよりも低下しているときに、２次圧低下未監視モードが設定されていなければ（Ｓ１３）、ＬＣＤ表示または音響鳴動を行う（Ｓ４）。
【００４４】
また、２次圧が所定レベルよりも低下していない場合（Ｓ３）、制御弁閉止をチェックし（Ｓ５）、図示しないリミットスイッチによる制御弁閉止信号の有無に応じて、制御弁閉止と判断すれば、監視しない制御弁閉止未監視モードが設定されているかどうかを調べ（Ｓ１３）、制御弁閉止未監視モードが設定されていれば、制御弁閉止であっても、ＬＣＤ表示をせず、また、音響鳴動もせずに、Ｓ３に戻る。
【００４５】
２次圧が所定レベルよりも低下していなくても（Ｓ３）、制御弁が閉止され（Ｓ５）、また、未監視モードが設定されていなければ、ＬＣＤ表示または音響鳴動を行う（Ｓ４）。ここで、図２に示すフローチャートでは、２次圧低下の確認（Ｓ３）をした後に、制御弁閉を確認する（Ｓ５）が、このようにする代わりに、制御弁閉を先に確認をしてから、２次圧低下を確認するようにしてもよい。
【００４６】
図３は、実施例１における消火システム制御盤１０において、未監視モードが設定されている場合における表示画面を示す図である。
【００４７】
たとえ、２次圧が所定レベルよりも低下していても、または、制御弁が閉止されていても、未監視モードが設定されていれば、図３に示すように、見たい表示、たとえば、スプリンクラ起動弁が起動していることを示す「ＮＳＶ起動弁  起動」と「１０階−Ｋ区画」と「０２８−１」とが、直ちに表示される。
【００４８】
上記実施例１によれば、消火システム制御盤１０の盤内に、「２次圧低下未監視」設定のＤＩＰスイッチを設け、制御盤の電源の立ち上げ時にこの設定を読み込み、２次圧低下を未監視の状態にするので、施工中に２次圧低下が生じても、制御盤の盤面に表示されている情報のうちで、見たい情報を早く見ることができる。
【００４９】
また、消火システム制御盤１０の盤内に、「制御弁閉止未監視」設定のＤＩＰスイッチを設け、制御盤の電源の立ち上げ時にこの設定を読み込み、制御弁閉止を未監視の状態にするので、施工中に制御弁閉止が生じても、制御盤の盤面に表示されている情報のうちで、見たい情報を早く見ることができる。
【図面の簡単な説明】
【００５０】
【図１】本発明の実施例１である消火システム制御盤１０が使用されている消火システム１００を示す図である。
【図２】実施例１の動作を示すフローチャートである。
【図３】実施例１における消火システム制御盤１０において、未監視モードが設定されている場合における表示画面を示す図である。
【図４】従来の消火システム制御盤の動作を示すフローチャートである。
【図５】従来例において、２次圧が低下しているときにおける制御盤の表示画面例を示す図である。
【符号の説明】
【００５１】
１００…消火システム、
ＣＴ１…防災センタ、
ＲＥ…火災受信機、
１０…消火システム制御盤、
２０…加圧送水装置、
Ｃ１、Ｃ２、Ｃ３、Ｃ４…中継器、
Ｂ１…流水検知装置（スプリンクラヘッド）、
ＳＨ１…閉鎖型スプリンクラヘッド、
ＳＨ２…開放型スプリンクラヘッド。
【図１】
2006280641.tif 000003
【図２】
2006280641.tif 000004
【図３】
2006280641.tif 000005
【図４】
2006280641.tif 000006
【図５】
2006280641.tif 000007